(57)【要約】【課題】各出力端子間の出力差を低減できる原稿読取装置、原稿読取方法、および原稿読取プログラムを提供すること。【解決手段】読み取った画像の画像データを複数の出力端子１１５〜１１８から分割して出力するＣＣＤ１０１と、前記ＣＣＤから出力された画像データをそれぞれアナログ−デジタル変換するＡ／Ｄ変換器１０４，１０５と、前記Ａ／Ｄ変換器ごとの出力の平均値をそれぞれ検出する平均値検出回路１０８，１０９と、前記平均値検出回路により検出された出力平均値どうしの差分に基づいて線形特性の設定情報を算出するＡ／Ｄ出力特性設定回路１１０と、前記Ａ／Ｄ変換器にそれぞれ設けられた出力特性設定機能部１０６，１０７と、を備え、前記出力特性設定機能部は、前記Ａ／Ｄ出力特性設定回路により算出された前記線形特性の設定情報が入力され、前記Ａ／Ｄ変換器の入力に対する出力の線形特性を変更することを特徴とする原稿読取装置。【選択図】        図１
2005244865.tif 000002
【特許請求の範囲】
【請求項１】
読み取った画像の画像データを複数の出力端子から分割して出力する光電変換手段と、
前記光電変換手段から出力された画像データをそれぞれアナログ−デジタル変換する複数のＡ／Ｄ変換手段と、
前記複数のＡ／Ｄ変換手段ごとの出力の平均値をそれぞれ検出する複数の出力平均値検出手段と、
前記複数の出力平均値検出手段により検出された複数の出力平均値どうしの差分に基づいて線形特性の設定情報を算出する線形特性算出手段と、
前記複数のＡ／Ｄ変換手段にそれぞれ設けられた複数の線形特性変更手段と、
を備え、
前記線形特性変更手段は、前記線形特性算出手段により算出された前記線形特性の設定情報に基づいて前記Ａ／Ｄ変換手段の入力に対する出力の線形特性を変更することを特徴とする原稿読取装置。
【請求項２】
前記線形特性算出手段は、
前記複数の出力平均値検出手段のうち１つの出力平均値検出手段が検出した出力平均値を基準とし、前記１つの出力平均値検出手段が検出した出力平均値に対する他の出力平均値検出手段が検出した出力平均値の差分に基づいて線形特性の設定情報を算出することを特徴とする請求項１に記載の原稿読取装置。
【請求項３】
前記線形特性算出手段は、濃度が異なる複数の画像を用いてそれぞれ線形特性の設定情報を算出することを特徴とする請求項１または２に記載の原稿読取装置。
【請求項４】
前記設定情報の算出には、中間調の濃度の画像を用いることを特徴とする請求項３に記載の原稿読取装置。
【請求項５】
前記光電変換手段は、複数の出力端子として、光電変換素子の先頭画素から順次前半分の画素を出力するＦ端子と、
末尾画素から順次後半分の画素を出力するＬ端子とを有することを特徴とする請求項１〜４のいずれか一つに記載の原稿読取装置。
【請求項６】
前記光電変換手段は、複数の出力端子として、光電変換素子の奇数番目の画素を出力するＯ端子と、
偶数番目の画素を出力するＥ端子とを有することを特徴とする請求項１〜５のいずれか一つに記載の原稿読取装置。
【請求項７】
読み取った画像の画像データを複数に分割して出力する光電変換工程と、
前記光電変換工程から複数に分割して出力された画像データをそれぞれ所定の線形特性でアナログ−デジタル変換するＡ／Ｄ変換工程と、
前記Ａ／Ｄ変換工程による出力の平均値をそれぞれ検出する出力平均値検出工程と、
前記出力平均値検出工程により検出された出力平均値どうしの差分に基づいて前記線形特性の設定情報を算出する線形特性算出工程と、
前記線形特性算出工程により算出された前記線形特性の設定情報に基づいて前記線形特性を変更する線形特性変更工程と、
を含むことを特徴とする原稿読取方法。
【請求項８】
原稿を複数の画像データとし、複数の画像データそれぞれを所定の線形特性でアナログ−デジタル変換し、出力する原稿読取プログラムにおいて、
前記出力の平均値をそれぞれ検出する出力平均値検出工程と、
前記出力平均値検出工程により検出された出力平均値どうしの差分に基づいて前記所定の線形特性の設定情報を算出する線形特性算出工程と、
前記線形特性算出工程により算出された前記線形特性の設定情報に基づいて前記所定の線形特性を変更する線形特性変更工程と、
をコンピュータに実行させることを特徴とする原稿読取プログラム。
【発明の詳細な説明】
【技術分野】
【０００１】
本発明は、読み取った画像の画像データを複数の出力端子から分割して出力するＣＣＤイメージセンサを用いた原稿読取装置、原稿読取方法、および原稿読取プログラムに関する。特に、各出力間の出力差を低減させて濃度ムラのない画像出力を実現できる原稿読取装置、原稿読取方法、および原稿読取プログラムに関する。
【背景技術】
【０００２】
従来より、ＣＣＤイメージセンサ（以下、ＣＣＤという）を用いた原稿読取装置では、各ＣＣＤごとに異なるガンマ値を補正するため、ＣＣＤからの出力に対しガンマ変換による補正をおこなっている。ガンマ変換による補正には、ガンマ変換テーブルを用いる。あらかじめガンマ変換特性値を段階的に変化させた複数のガンマ変換テーブルを用意しておき、その一つを選択し、変換をすることにより出力のガンマ値を所望の値へ補正をおこなっている（例えば、下記特許文献１参照。）。
【０００３】
また、読み取ったデータを複数のチャンネルで並列に処理することにより、画像読取速度の高速化を行っている。例えば、読み出された画素を奇数番目の画素データ（以下、Ｏ出力という）と偶数番目の画素データ（以下、Ｅ出力という）に分離し、各々を異なるチャンネルにより処理する方法が知られている。以下、この方法をＯ／Ｅ分離読み出し方式という（例えば、下記特許文献２参照。）。
【０００４】
Ｏ／Ｅ分離読み出し方式において前記ガンマ変換による補正をおこなう場合、Ｏ出力とＥ出力の変換特性値に差が存在するにも関わらず、これらの平均値を変換特性値として用いるため、Ｏ／Ｅ両出力に変換特性が適合せず、Ｏ出力とＥ出力との間に出力差が発生することにより、出力画像において奇数番目の画素と偶数番目の画素との間に濃淡が生じる。したがって、特許文献２では、Ｏ／Ｅ各出力ごとにＡ／Ｄ変換ならびにシェーディング補正後を行ったのち、Ｏ／Ｅ各出力ごとに持つガンマ変換テーブルによりそれぞれの変換をおこなうことによって出力差を軽減している。
【０００５】
さらに、最近のＣＣＤでは画像読取速度のさらなる高速化を図るため、受光画素列の電荷を奇数番目（Ｏ）の画素と偶数番目（Ｅ）の画素に分離した上、さらに先頭画素から順次前半分（Ｆｉｒｓｔ）の画素と末尾画素から順次後半分（Ｌａｓｔ）の画素とに分離し、それぞれ別個の端子で出力するもの（以下、このようなＣＣＤをＦ／Ｌ型ＣＣＤという）が提案されている（例えば、下記特許文献３参照。）。
【０００６】
このようなＦ／Ｌ型ＣＣＤを使用した原稿読取装置では、画像の中央でＦｉｒｓｔとＬａｓｔの分割境界があり、出力差がわずかにでも生じると読み取り後の画像上で境界が目立つことになるため、特許文献３では、リニアリティを補正するテーブルを用いて各端子間の出力差をごく小さいものにしている。
【０００７】
図９は、従来のＦ／Ｌ型ＣＣＤを使用した場合の原稿読取装置の回路ブロック図の一例である。前半分（Ｆｉｒｓｔ）の画素データをもとに後半分（Ｌａｓｔ）の画素データを補正するものとする。
【０００８】
ＣＣＤ１０１は、入射した光を画素ごとに電気信号に変換する。前記電気信号は、まず奇数（Ｏ）番目の画素と偶数（Ｅ）番目の画素に分けられる。さらに先頭画素から順次前半分の画素（Ｆ）と、末尾画素から順次後半分の画素（Ｌ）に分けられ、それぞれ別の端子から出力される。すなわち、ＣＣＤ１０１は、全部で４つの出力端子、ＦＯ１１５，ＦＥ１１６，ＬＯ１１７，ＬＥ１１８を有している。
【０００９】
ＣＣＤ１０１から出力された出力信号は、アナログ処理ＬＳＩ９０２，９０３によってゲイン調整やＯ／Ｅ出力の合成などの処理を受け、Ａ／Ｄ変換器９０４，９０５によってアナログ−デジタル変換される（なお、図中「／８」とは、信号が８ビットデジタルデータであることを示している）。
【００１０】
さらに、Ｌデータ補正ガンマテーブル９０６では、ＬデジタルデータをＦデジタルデータに合わせるため、ガンマテーブルによる補正をおこなう。こののち、ＦＬ並び替えＬＳＩ９０７によりＦデジタルデータと補正後のＬデジタルデータの並び替えをおこない、１ラインの画像データとして出力する。最後にシェーディング補正回路９０８により照度分布や画素の感度差の補正をおこなって外部へ出力される。
【００１１】
【特許文献１】特開平８−３０７６８１号公報
【特許文献２】特開平６−１４１８８号公報
【特許文献３】特開２００２−２１８１８６号公報
【発明の開示】
【発明が解決しようとする課題】
【００１２】
しかしながら、従来のデジタルのテーブルによるガンマ変換では、整数単位の補正しかできないことに加え、非線形である傾きが大きいところでは階調数を失うことになる。画像データの一つ一つはデジタルであるが、あるエリアの平均となれば小数点以下も含むため、補正が充分になされず、出力差のため読み取り後の画像上で濃度ムラが生じるという問題点があった。
【００１３】
本発明は前記問題点を鑑みてなされたものであり、簡単な構成で各出力端子間の出力差を低減できる原稿読取装置、原稿読取方法、および原稿読取プログラムを提供することを目的とする。
【課題を解決するための手段】
【００１４】
上述した課題を解決し、目的を達成するため、請求項１の発明にかかる原稿読取装置は、読み取った画像の画像データを複数の出力端子から分割して出力する光電変換手段と、前記光電変換手段から出力された画像データをそれぞれアナログ−デジタル変換する複数のＡ／Ｄ変換手段と、前記複数のＡ／Ｄ変換手段ごとの出力の平均値をそれぞれ検出する複数の出力平均値検出手段と、前記複数の出力平均値検出手段により検出された複数の出力平均値どうしの差分に基づいて線形特性の設定情報を算出する線形特性算出手段と、前記複数のＡ／Ｄ変換手段にそれぞれ設けられた複数の線形特性変更手段と、を備え、前記線形特性変更手段は、前記線形特性算出手段により算出された前記線形特性の設定情報に基づいて前記Ａ／Ｄ変換手段の入力に対する出力の線形特性を変更することを特徴とする。
【００１５】
また、請求項２の発明にかかる原稿読取装置は、請求項１に記載の発明において、前記線形特性算出手段は、前記複数の出力平均値検出手段のうち１つの出力平均値検出手段が検出した出力平均値を基準とし、前記１つの出力平均値検出手段が検出した出力平均値に対する他の出力平均値検出手段が検出した出力平均値の差分に基づいて線形特性の設定情報を算出することを特徴とする。
【００１６】
また、請求項３の発明にかかる原稿読取装置は、請求項１または２に記載の発明において、前記線形特性算出手段は、濃度が異なる複数の画像を用いてそれぞれ線形特性の設定情報を算出することを特徴とする。
【００１７】
また、請求項４の発明にかかる原稿読取装置は、請求項３に記載の発明において、前記設定情報の算出には、中間調の濃度の画像を用いることを特徴とする。
【００１８】
また、請求項５の発明にかかる原稿読取装置は、請求項１〜４のいずれか一つに記載の発明において、前記光電変換手段は、複数の出力端子として、光電変換素子の先頭画素から順次前半分の画素を出力するＦ端子と、末尾画素から順次後半分の画素を出力するＬ端子とを有することを特徴とする。
【００１９】
また、請求項６の発明にかかる原稿読取装置は、請求項１〜５のいずれか一つに記載の発明において、前記光電変換手段は、複数の出力端子として、光電変換素子の奇数番目の画素を出力するＯ端子と、偶数番目の画素を出力するＥ端子とを有することを特徴とする。
【００２０】
また、請求項７の発明にかかる原稿読取方法は、読み取った画像の画像データを複数に分割して出力する光電変換工程と、前記光電変換工程から複数に分割して出力された画像データをそれぞれ所定の線形特性でアナログ−デジタル変換するＡ／Ｄ変換工程と、前記Ａ／Ｄ変換工程による出力の平均値をそれぞれ検出する出力平均値検出工程と、前記出力平均値検出工程により検出された出力平均値どうしの差分に基づいて前記線形特性の設定情報を算出する線形特性算出工程と、前記線形特性算出工程により算出された前記線形特性の設定情報に基づいて前記線形特性を変更する線形特性変更工程と、を含むことを特徴とする。
【００２１】
また、請求項８の発明にかかる原稿読取プログラムは、原稿を複数の画像データとし、複数の画像データそれぞれを所定の線形特性でアナログ−デジタル変換し、出力する原稿読取プログラムにおいて、前記出力の平均値をそれぞれ検出する出力平均値検出工程と、前記出力平均値検出工程により検出された出力平均値どうしの差分に基づいて前記所定の線形特性の設定情報を算出する線形特性算出工程と、前記線形特性算出工程により算出された前記線形特性の設定情報に基づいて前記所定の線形特性を変更する線形特性変更工程と、をコンピュータに実行させることを特徴とする。
【発明の効果】
【００２２】
本発明にかかる原稿読取装置、原稿読取方法、および原稿読取プログラムによれば、簡単な構成で各出力端子間の出力差を低減できる。
【発明を実施するための最良の形態】
【００２３】
以下、添付図面を参照して、本発明にかかる原稿読取装置、原稿読取方法、および原稿読取プログラムの好適な実施の形態を詳細に説明する。
【００２４】
（実施の形態１）
まず、本実施の形態にかかる原稿読取装置の回路について図１を参照して説明する。図１は本実施の形態にかかる原稿読取装置の回路のブロック図である。ＣＣＤ１０１はＦ／Ｌ型ＣＣＤであり、読み取った画像信号を４つの出力端子ＦＯ１１５、ＦＥ１１６、ＬＯ１１７、ＬＥ１１８に分けて出力している。
【００２５】
アナログ処理ＬＳＩ１０２には、ＣＣＤ１０１の端子ＦＯ１１５、ＦＥ１１６から出力された画像信号が入力される。アナログ処理ＬＳＩ１０３には、ＬＯ１１７、ＬＥ１１８から出力された画像信号が入力される。これらアナログ処理ＬＳＩ１０２，１０３は、それぞれ２つの端子から入力された画像信号に対してゲイン調整をおこなう。さらに、前記２つの端子からの入力信号の合成をおこない、当該合成後の信号を出力する（以下、アナログ処理ＬＳＩ１０２が出力する信号をＦアナログデータ、アナログ処理ＬＳＩ１０３が出力する信号をＬアナログデータという）。
【００２６】
Ａ／Ｄ変換器１０４は、アナログ処理ＬＳＩ１０２から出力されたＦアナログデータをアナログ−デジタル変換し、Ｆデジタルデータを後述するＦ平均値検出回路１０８ならびにＡ／Ｄ出力特性設定回路１１０に出力する。また、Ａ／Ｄ変換器１０５は、アナログ処理ＬＳＩ１０３から出力されたＬアナログデータをアナログ−デジタル変換し、Ｌデジタルデータを後述するＬ平均値検出回路１０９ならびにＡ／Ｄ出力特性設定回路１１０に出力する。
【００２７】
また、Ａ／Ｄ変換器１０４、１０５は、それぞれ出力特性設定機能部１０６，１０７を有している。出力特性設定機能部１０６，１０７は、後述するＡ／Ｄ出力特性設定回路１１０からの制御を受け、Ａ／Ｄ変換器１０４，１０５の出力の線形特性を変更自在に設定する。
【００２８】
Ｆ平均値検出回路１０８は、Ａ／Ｄ変換器１０４から出力されたＦデジタルデータの出力平均値（以下、Ｆ出力平均値という）を検出し、保持する。Ｌ平均値検出回路１０９はＡ／Ｄ変換器１０５から出力されたＬデジタルデータの出力平均値（以下、Ｌ出力平均値という）を検出し、保持する。また、Ｆ平均値検出回路１０８、Ｌ平均値検出回路１０９は、それぞれ検出した各出力平均値のデータをＡ／Ｄ出力特性設定回路１１０に出力する。
【００２９】
Ａ／Ｄ出力特性設定回路１１０は、Ｆ平均値検出回路１０８が出力するＦ平均出力値ならびにＬ平均値検出回路１０９が出力するＬ平均出力値のデータをもとに、Ａ／Ｄ変換器１０４，１０５の出力特性設定機能部１０６，１０７がＡ／Ｄ変換器１０４，１０５の出力特性の設定にあたり必要な制御値（以下、出力特性制御値という）を算出する。また、Ａ／Ｄ出力特性設定回路１１０は、算出した前記出力特性制御値を出力特性設定機能部１０６，１０７に出力する。
【００３０】
ＦＬ並び替えＬＳＩ１１１には、Ａ／Ｄ変換器１０４から出力されたＦデジタルデータと、Ａ／Ｄ変換器１０５から出力されたＬデジタルデータが入力される。また、ＦＬ並び替えＬＳＩ１１１は、これらＦデジタルデータ、Ｌデジタルデータの並び替えをおこない、１ラインの画像データとして出力する。
【００３１】
シェーディング補正回路１１２には、ＦＬ並び替えＬＳＩ１１１から出力された画像データが入力される。また、シェーディング補正回路１１２は、メモリと演算素子からなり、前記画像データの照度分布や画素の感度差の補正をおこなったのち、画像データを外部へと出力する。
【００３２】
つぎに、前記ＣＣＤ１０１の内部構成について図２を参照して説明する。図２はＦ／Ｌ型ＣＣＤ１０１内部の構成図である。フォトダイオード２０１は、画素ごとの入射光の強弱を電気信号に変換し、出力する。
【００３３】
シフトゲートＡ２０２には、フォトダイオード２０１が出力した電気信号のうち奇数番目の画素の信号が入力される。入力された電気信号のうち、先頭画素から前半分の画素の信号は、後述するＣＣＤアナログシフトレジスタａ２０４に、残りの後ろ半分の画素の信号はＣＣＤアナログシフトレジスタｃ２０６へ出力される。
【００３４】
また、シフトゲートＢ２０３にはフォトダイオード２０１が出力した電気信号のうち偶数番目の画素の信号が入力される。入力された電気信号のうち、先頭画素から前半分の画素の信号は、後述するＣＣＤアナログシフトレジスタｂ２０５に、残りの後ろ半分の画素の信号はＣＣＤアナログシフトレジスタｄ２０７へ出力される。
【００３５】
ＣＣＤアナログシフトレジスタａ２０４は、シフトゲートＡ２０２から入力された前記入力信号を出力バッファａ２０８に出力する。ＣＣＤアナログシフトレジスタｂ２０５は、シフトゲートＢ２０３から入力された前記入力信号を出力バッファｂ２０９に出力する。ＣＣＤアナログシフトレジスタｃ２０６は、シフトゲートＡ２０２から入力された前記入力信号を出力バッファｃ２１０に出力する。ＣＣＤアナログシフトレジスタｄ２０７は、シフトゲートＢ２０３から入力された前記入力信号を出力バッファｄ２１１に出力する。
【００３６】
出力バッファａ２０８は、出力端子ＦＯ１１５より、前記入力信号を出力する。出力バッファｂ２０９は、出力端子ＦＥ１１６より、前記入力信号を出力する。出力バッファｃ２１０は、出力端子ＬＯ１１７より、前記入力信号を出力する。出力バッファｄ２１１は、出力端子ＬＥ１１８より、前記入力信号を出力する。
【００３７】
すなわち、出力端子ＦＯ１１５からは、先頭画素から前半分の奇数番目画素の信号が出力される。出力端子ＦＥ１１６からは、先頭画素から前半分の偶数番目画素の信号が出力される。出力端子ＬＯ１１７からは、先頭画素から後ろ半分の奇数番目画素の信号が出力される。出力端子ＬＥ１１８からは、先頭画素から後ろ半分の偶数番目画素の信号が出力される。
【００３８】
つぎに、本実施の形態にかかる原稿読取装置の機構について図３を参照して説明する。図３は本実施の形態にかかる原稿読取装置の機構図である。原稿読取装置３００は、光源ランプ３０１、レンズ３０２、ミラー３０３〜３０５からなる光学系と、光学撮像を光電変換するためのＣＣＤ１０１を有している。
【００３９】
光源ランプ３０１はコンタクトガラス３０６上の原稿面を照明する。レンズ３０２、ミラー３０３〜３０５は、光源ランプ３０１が原稿面を照明したことで得られる反射光をＣＣＤ１０１へと誘導する。第１キャリッジ３０７、第２キャリッジ３０８により、図示していないモータで光源ランプ３０１ならびにミラー３０３が図面の右方向へ移動することによって、原稿面の全面を読み取っている。
【００４０】
以下、本実施の形態による原稿読取装置の動作を図１を参照して説明する。なお、以下の各実施の形態では、Ｆ出力平均値を基準としてＬ出力平均値を補正する場合を示すが、Ｌ出力平均値を基準にＦ出力平均値を補正することや、一つの端子（例えば出力端子ＦＯ１１５）の出力を基準にして他の出力端子（例えば出力端子ＦＥ１１６、ＬＯ１１７、ＬＥ１１８）の出力を補正することも可能である。
【００４１】
まず、Ａ／Ｄ変換器１０４，１０５の出力特性を線形に設定して、ある一様濃度のグレーチャートを原稿読取装置３００（図３参照）に読み取らせる。ＣＣＤ１０１より出力された画像信号は、アナログ処理ＬＳＩ１０２，１０３、Ａ／Ｄ変換器１０４，１０５を経て、平均値検出回路１０８，１０９に入力される。平均値検出回路１０８，１０９は、Ｆ出力平均値、Ｌ出力平均値をそれぞれ検出する。
【００４２】
検出された前記Ｆ出力平均値、Ｌ出力平均値は、出力平均値データとして、Ａ／Ｄ出力特性設定回路１１０に入力される。Ａ／Ｄ出力特性設定回路１１０は、前記出力平均値データをもとに、Ｌ出力側の出力平均値がＦ出力側の出力平均値と合致するように、出力特性設定値を算出する。
【００４３】
算出された出力特性設定値は、Ｌ出力側のＡ／Ｄ変換器１０５の出力特性設定機能部１０７に入力される。出力特性設定機能部１０７は前記出力特性設定値をもとにＬ出力側のＡ／Ｄ変換器１０５の線形出力特性を設定することにより、Ｆ出力平均値とＬ出力平均値とを合致させる。
【００４４】
本実施の形態のように、出力特性値に基づきＡ／Ｄ変換器の出力線形特性を変更自在に設定する手段としては、例えば発明者自身が出願した特開平１−１４４８２１がある。これによれば、各コンパレータ（比較器）の基準電圧をＲＣ積分回路の時定数を利用し、印加する時間で電圧値をコントロールするようことによりアナログ入力に対するデジタル出力の線形、非線型特性を自在に設定できる。なお、これらの機能は本実施の形態においては、前記出力特性設定機能部１０６，１０７、Ａ／Ｄ出力特性設定回路１１０が実現する。
【００４５】
以下、各実施の形態では、前記手段によるＡ／Ｄ変換器を応用する場合を説明するが、Ｆ／Ｌ差を補正するようなデジタル出力が得られるように各基準電圧を設定できるＡ／Ｄ変換器を用いれば、同様の効果が得られる。
【００４６】
以上説明したように、本実施の形態にかかる原稿読取装置によれば、各端子にはアナログによる補正をおこなうことと同様になるので、従来のデジタルでのテーブルによる補正ではできなかった小数点以下の補正が可能となり、端子間のレベル差を小さくすることができる。
【００４７】
（実施の形態２）
実施の形態１においては、Ａ／Ｄ変換の特性値を得るために一様濃度のグレーチャートを用いた。実施の形態２では、入射光量が大きい場合から小さい場合に相当する複数の濃度、すなわち反射率が大きい白チャートから反射率が小さい黒チャートまで何種類かのグレーチャートをあらかじめ読み取り、複数の濃度により補正をおこなうことでさらに補正の精度を向上させるものである。
【００４８】
なお、本実施の形態における原稿読取装置の回路、ＣＣＤの内部構成、および原稿読取装置の機構については、実施の形態１と同様であるので、説明を省略する。
【００４９】
以下、本実施の形態にかかる原稿読取装置の動作を図１を参照して説明する。まず、黒から白までの何種類かのグレースケールを用意して原稿読取装置３００（図３参照）で読み取る。このときのＡ／Ｄ変換器１０４，１０５の出力特性は線形に設定する。ＣＣＤ１０１より出力された画像信号は、アナログ処理ＬＳＩ１０２，１０３、Ａ／Ｄ変換器１０４，１０５を経て、平均値検出回路１０８，１０９に入力される。平均値検出回路１０８，１０９はそれぞれＦ出力平均値、Ｌ出力平均値を検出し、各スケールごとの前記出力平均値を保持する。各スケールごとに得られた出力平均値は、Ａ／Ｄ出力特性設定回路１１０に入力される。
【００５０】
Ａ／Ｄ出力特性設定回路１１０は、入力された各出力の出力平均値により図４のようなＦ出力、Ｌ出力ごとの入射光量（原稿反射率）対出力値の特性（以下、入射光量対出力特性という）を算出する。また、グレースケール間の入射光量に対応する値については補完をおこなう。この入射光量対出力特性は、各出力ごとに異なるため、図４中に示すようにＦ／Ｌ差を有するものとなっている。このＦ／Ｌ差が読み取り後の画像の濃度ムラの原因となる。
【００５１】
また、Ａ／Ｄ出力特性設定回路１１０は、この入射光量対出力特性のＦ／Ｌ差がなくなるように、出力特性設定機能部１０６，１０７を設定する。
【００５２】
例えば、Ｆ出力平均値を基準にしてＬ出力平均値を補正する場合、Ａ／Ｄ出力特性設定回路１１０は、前記入射光量対出力特性をもとにしてＬ出力側のＡ／Ｄ変換器１０５の出力特性を調節するための補正特性を演算により求める（例として図５）。そして、前記補正特性をもとにＡ／Ｄ変換器１０５の出力特性設定機能部１０７の各コンパレータの基準電圧を設定する（例として図６）。
【００５３】
以上説明したように、本実施の形態にかかる原稿読取装置によれば、各濃度において基準となる端子と他の端子の出力平均値の差分を検出して、各々のＡ／Ｄ変換器の出力特性を合わせることで、全濃度にわたって小数点以下の補正ができ、さらに精度の良い補正をおこなうことができる。
【００５４】
（実施の形態３）
実施の形態２においては、複数の濃度のグレーチャートを用いて補正をおこなった。本実施の形態では、入射光量が中間調ときのグレースケールのみを用いて、全濃度におけるＦ／Ｌ差を算出する。
【００５５】
各出力の出力平均値の差、すなわちＦ／Ｌ差は各原稿読取装置ごとに異なる。すなわち、差が最大となる中間調のレベルのＦ／Ｌ差を測定することにより、全濃度におけるＦ／Ｌ差を予測することが可能となる。これにより、より簡易な方法で精度の高い補正が可能となる。
【００５６】
なお、本実施の形態における原稿読取装置の回路、ＣＣＤの内部構成、および原稿読取装置の機構については、実施の形態１と同様であるので、説明を省略する。
【００５７】
以下、本実施の形態にかかる原稿読取装置の動作を図１を参照して説明する。原稿読取装置３００（図３参照）において、入射光量が中間調のグレースケールを読み取る。ＣＣＤ１０１により出力された画像信号は、アナログ処理ＬＳＩ１０２，１０３、Ａ／Ｄ変換器１０４，１０５を経て、平均値検出回路１０８，１０９によりＦ出力平均値、Ｌ出力平均値が検出される。
【００５８】
Ａ／Ｄ出力特性設定回路１１０は、前記Ｆ出力平均値、Ｌ出力平均値の差分をもとにして全濃度におけるＦ／Ｌ差を予測する。この予測値を基にしてＡ／Ｄ出力特性設定回路１１０は出力特性設定機能部１０７を設定する。
【００５９】
図８に、図７のようなＦ／Ｌ差特性を有する原稿読取装置において、中間調のグレースケールにおけるＦ／Ｌ差を測定することにより、全濃度のＦ／Ｌ差をモデル化したグラフを示す。このグラフは、中間調を最大１．４として出力値に対して３乗の特性を持つものとした。式としては以下の通りである。
Ｆ／Ｌ差＝６．７５５×１０＾−７×（出力値−１２７．５）＾３＋１．４
（＾はべき乗）
【００６０】
以上説明したように、本実施の形態にかかる原稿読取装置によれば、全濃度の読み取りをおこなわなくとも中間調の一つのグレースケールのみを読み取れば、Ａ／Ｄ変換器の出力特性を設定することができ、簡易に精度の良い補正をおこなうことができる。
【産業上の利用可能性】
【００６１】
以上のように、本発明にかかる原稿読取装置、原稿読取方法、および原稿読取プログラムによれば、デジタルのテーブルによる補正によらず、アナログによる補正と同様の精度が高い補正をおこなうことができ、特に、画像取込速度の高速化を図るため１ラインごとに複数の出力端子を有するＣＣＤイメージセンサを用いたスキャナ、デジタル複写機、ファクシミリなどに有効である。
【図面の簡単な説明】
【００６２】
【図１】本発明の実施の形態にかかる原稿読取装置の回路のブロック図である。
【図２】Ｆ／Ｌ型ＣＣＤの内部の構成図である。
【図３】本発明の実施の形態にかかる原稿読取装置の機構図である。
【図４】入射光量対出力値の特性図である。
【図５】Ｌの補正特性の演算結果を示すグラフである。
【図６】各コンパレータの電圧値を示すグラフである。
【図７】出力値に対するＦ／Ｌ差を示すグラフである。
【図８】中間調の測定値により全濃度のＦ／Ｌ差をモデル化したグラフである。
【図９】従来のＦ／Ｌ型ＣＣＤを使用した原稿読取装置の回路のブロック図である。
【符号の説明】
【００６３】
１０１  ＣＣＤ
１０２，１０３  アナログ処理ＬＳＩ
１０４，１０５  Ａ／Ｄ変換器
１０６，１０７  出力特性設定機能部
１０８，１０９  平均値検出回路
１１０  Ａ／Ｄ出力特性設定回路
１１１  ＦＬ並び替えＬＳＩ
１１２  シェーディング補正回路
１１５  出力端子ＦＯ
１１６  出力端子ＦＥ
１１７  出力端子ＬＯ
１１８  出力端子ＬＥ
【図１】
2005244865.tif 000003
【図２】
2005244865.tif 000004
【図３】
2005244865.tif 000005
【図４】
2005244865.tif 000006
【図５】
2005244865.tif 000007
【図６】
2005244865.tif 000008
【図７】
2005244865.tif 000009
【図８】
2005244865.tif 000010
【図９】
2005244865.tif 000011